(57)【要約】【課題】  バックアップシステムを提供する。【解決手段】  複数の磁気テープライブラリ２０〜２３と該複数の磁気テープライブラリ２０〜２３を制御するコントローラ１０とを備え、コンピュータシステムのデータをコントローラ１０からＳＣＳＩインタフェース１を介して磁気テープライブラリにバックアップを行うバックアップシステムにおいて、前記コントローラ１０と磁気テープライブラリ２０〜２３にシリアルインタフェースであるＲＳ２３２Ｃインタフェース２を用いて接続し、磁気テープライブラリからＳＣＳＩインタフェース２を介してコントローラ１０に障害発生が通知されたとき、コントローラ１０が当該障害が発生した磁気テープライブラリから前記シリアルインタフェース１０を介して障害詳細情報を収集するもの。【選択図】図１
2007087084.tif 000002
【特許請求の範囲】
【請求項１】
複数の磁気テープライブラリと該複数の磁気テープライブラリを制御するコントローラとを備え、コンピュータシステムのデータをコントローラからＳＣＳＩインタフェースを介して磁気テープライブラリにバックアップを行うバックアップシステムにおいて、
前記コントローラと磁気テープライブラリとをシリアルインタフェースを介して接続し、磁気テープライブラリからＳＣＳＩインタフェースを介してコントローラに障害発生が通知されたとき、コントローラが当該障害が発生した磁気テープライブラリから前記シリアルインタフェースを介して障害詳細情報を収集することを特徴とするバックアップシステム。
【請求項２】
前記シリアルインタフースが、ＲＳ２３２Ｃインタフェースであることを特徴とする請求項１記載のバックアップシステム。
【発明の詳細な説明】
【技術分野】
【０００１】
本発明は、複数の磁気テープライブラリから障害情報を容易に収集することができるバックアップシステムに関する。
【背景技術】
【０００２】
一般に各種データを取り扱うコンピュータシステムは、取り扱うデータを磁気ディスク装置等の記憶装置に記憶するものであり、この記憶装置に記憶したデータは障害に備えて大容量のバックアップシステムに記憶することが行われている。
【０００３】
このバックアップシステムは、ビット単価が安く且つ大容量な磁気テープライブラリが使用され、例えば複数の磁気テープライブラリ及び該磁気テープライブラリを制御するコントローラとから構成され、コンピュータシステムのデータをオンラインでデータを圧縮しながらバックアップを行い、前記コンヒュータシステムに障害が発生した場合、当該バックアップしたデータをシステム側に戻す復旧処理を行う様に構成されている。
【０００４】
前記バックアップシステムの複数の磁気テープライブラリとコントローラとは、データのやり取りを行うためのインタフェースとしてＳＣＳＩインタフェースが採用されている。
前記磁気テープライブラリを利用したバックアップシステムに関する技術が記載された文献としては、下記特許文献が挙げられる。
【特許文献１】特開平１１−１０２２６２号公報
【発明の開示】
【発明が解決しようとする課題】
【０００５】
前述の従来技術によるバックアップシステムは、障害発生時に磁気テープライブラリが前記コントローラに障害が発生したことを統計情報してＳＣＳＩインタフェースを介して報告する様に構成されており、コントローラ側では障害の詳細内容を把握することができないと言う不具合があった。特に記録媒体を磁気テープとするバックアップシステムの場合、バックアップシステムを持ち帰ったとしても顧客データを含む磁気テープは持ち帰ることができないため、障害発生原因が磁気テープなのか磁気テープライブラリ側なのかを切り分けることができないと言う不具合があった。
【０００６】
尚、前記ＳＣＳＩインタフェースはコントローラと記憶装置間等の高速データ転送を行う規格であるが、そもそもデータ転送を主目的としているため、ＳＣＳＩコマンドの種類が少なく、更に１送信当たりのデータ転送料量が１ＭＢ以下に制限され、障害詳細情報を得るための機能を備えていないものであった。
【０００７】
本発明の目的は、前述の従来技術による不具合を除去することであり、コントローラ側で詳細な障害情報を収集することができるバックアップシステムを提供することである。
【課題を解決するための手段】
【０００８】
前記目的を達成するため本発明は、複数の磁気テープライブラリと該複数の磁気テープライブラリを制御するコントローラとを備え、コンピュータシステムのデータをコントローラからＳＣＳＩインタフェースを介して磁気テープライブラリにバックアップを行うバックアップシステムにおいて、  前記コントローラと磁気テープライブラリとをシリアルインタフェースを介して接続し、磁気テープライブラリからＳＣＳＩインタフェースを介してコントローラに障害発生が通知されたとき、コントローラが当該障害が発生した磁気テープライブラリから前記シリアルインタフェースを介して障害詳細情報を収集することを第１の特徴とし、このバックアップシステムにおいて、前記シリアルインタフースが、ＲＳ２３２Ｃインタフェースであることを第２の特徴とする。
【発明の効果】
【０００９】
本発明によるバックアップシステムによれば、ＳＣＳＩインタフェースを介して障害発生報告を受けたコントローラがデータ量が多い障害詳細情報をシリアルインタフェースを介して収集するため、該コントローラが障害詳細情報をネットワークを介して保守用のコンピュータ等に報告することができる。
【発明を実施するための最良の形態】
【００１０】
以下、本発明によるバックアップシステムの実施形態を図面を参照して説明する。図１は本実施形態によるバックアップシステムの構成を示す図、図２は本バックアップシステムの動作を説明するためのフローチャートである。
本実施形態によるバックアップシステムは、図１に示す如く、複数のテープライブラリ２０〜２３と、該複数のテープライブラリ２０〜２３を制御するコントローラ１０とから成る。
【００１１】
該コントローラ１０は、テープライブラリ２０〜２３と接続してデータの転送を行うＳＣＳＩコントローラ１２及び１３と、本実施形態の特徴であるシリアルコントローラ１４と、該ＳＣＳＩコントローラ１２及び１３並びにシリアルコントローラ１４を制御するマザーボード１１とから構成され、これら機器間をＰＣＩ３を介して接続し、前記シリアルコントローラ１４が４又シリアルケーブル（具体的にはＲＳ２３２Ｃインタフェース２）を介して複数のテープライブラリ２０〜２３に接続する様に構成されている。
この様に構成されたバックアップシステムは、図示しないコンピュータシステムに接続され、該コンピュータシステムの指示によってデータのバックアップを行うものである。
【００１２】
本装置はシリアルコントローラ１４の限られたスペース（ＰＣＩカードのスリット穴（１４ｍｍ×１００ｍｍ））にシリアルインターフェースケーブル４本を接続させる為に、４本のシリアルインターフェースケーブルを１個のコネクタに集約して接続する４又シリアルケーブル３０を使用する。
【００１３】
さて、本実施形態によるバックアップシステムは、図２に示す如く、何れかのテープライブラリから障害発生の通知をコントローラ１０がＳＣＳＩインタフェース１を介して受けたとき（ステップ１００）、この障害発生をＳＣＳＩコントローラ１２又は１３が障害を検出し（ステップ１０１）、この障害報告を受けたマザーボード１１がシリアルコントローラ１４を用いて４又シリアルケーブル（ＲＳ２３２Ｃインタフェース２）を経由して障害のトレース情報採取コマンドを発行（ステップ１０２）することによって、障害が発生したテープライブラリから前記トレース情報の採取（ステップ１０３）を行う様に動作する。
【００１４】
このときコントローラ１０は、テープライブラリからシリアルインタフェースであるシリアルケーブル３０（ＲＳ２３２Ｃインタフェース２）が汎用のインタフェースのためトレース情報採取のコマンドの発行乃至トレース情報を収集することができる。このトレース情報とは、例えば磁気テープの動作モード／データのエラーレート／磁気テープのエラー検出箇所（ブロック）／磁気テープ番号／磁気テープの書込回数等の情報であり、これら情報は１ＭＢ以上のデータ容量を要するため、シリアルケーブル３０を介して容易に転送することができる。
【００１５】
次いで本実施形態によるバックアップシステムは、テープライブラリからのエンドコードの検出又は５秒以上応答がないことによるタイムアウトの検出又はデータバッファが満杯になったことの検出を判定し（ステップ１０４）、これら何れかを検出したときに前述の処理を終了する様に動作する。
【００１６】
本実施形態によるバックアップシステムは、前述した障害のトレース情報をコントローラ１０が収集することができるため、該コントローラ１０を含むバックアップシステムを保守員が持ち帰り、例えば磁気テープの使用回数が所定値を越えていた際には磁気テープの交換を促すと言った障害内容の解析や保守を容易に行うことができる。
【００１７】
尚、本発明の対象となるバックアップシステムは、磁気テープを使用媒体としているため、一般には顧客の磁気テープも持ち帰ることができないため、障害発生が磁気テープ側か装置側かを判定することができないものであるが、本実施形態においてはコントローラ１０にトレース情報を格納しておくことにより、装置を持ち帰った際にも前記障害解析を容易に行うことができるものである。
【００１８】
また前記実施形態において、コントローラ１０がトレース情報をネットワークを介して保守用のコンピュータ等に報告することができ、これにより保守員が例えば磁気テープの使用回数が所定値を越えていた差には磁気テープの交換を促すと言った障害内容の解析や保守を遠隔地においても容易に行うことができる。
【図面の簡単な説明】
【００１９】
【図１】本発明の一実施形態によるバックアップシステムの構成を示す図。
【図２】本バックアップシステムの動作を説明するためのフローチャート。
【符号の説明】
【００２０】
２０〜２３：テープライブラリ、１：ＳＣＳＩインタフェース、２：ＲＳ２３０Ｃインタフェース、１０：コントローラ、１１：マザーボード、１２：コントローラ、１４：シリアルコントローラ、３０：４又シリアルケーブル。
【図１】
2007087084.tif 000003
【図２】
2007087084.tif 000004